(57)【要約】【課題】発進クラッチ内の油温を検出する温度センサの検出温度に応じて潤滑油の流量を制御し、動力損失を減らし、クラッチの焼損を防止する。【解決手段】車両のトランスミッションとエンジンとの間に配置され、動力を伝達する湿式多板クラッチを備えた発進クラッチの潤滑制御方法であって、第１の温度センサにより発進クラッチ内の油温を検出する工程と、車両の走行状態に関わらず、第１の温度センサが検出した油温に応じて発進クラッチの潤滑油の流量を制御する工程とを備え、制御する工程では、油温が第１の設定値以下の場合は流量を最小とし、第２の設定値以上であれば流量を最大とし、第１と第２の設定値の間は油温に応じて潤滑油の流量を連続的に変化させて制御する。【選択図】  図１
2008291897.tif 000002
【特許請求の範囲】
【請求項１】
車両のトランスミッションとエンジンとの間に配置され、動力を伝達する湿式多板クラッチを備えた発進クラッチの潤滑制御方法であって、
第１の温度センサにより前記発進クラッチ内の油温を検出する工程と、
車両の走行状態に関わらず、前記第１の温度センサが検出した油温に応じて前記発進クラッチの潤滑油の流量を制御する工程と、
を備え、前記制御する工程では、前記油温が第１の設定値以下の場合は流量を最小とし、第２の設定値以上であれば流量を最大とし、前記第１と第２の設定値の間は油温に応じて潤滑油の流量を連続的に変化させて制御することを特徴とする発進クラッチの潤滑制御方法。
【請求項２】
前記制御する工程では、前記発進クラッチの潤滑油の流量を電気的に制御することを特徴とする請求項１に記載の発進クラッチの潤滑制御方法。
【請求項３】
前記制御する工程では、第２の温度センサにより前記トランスミッション内の油温を検出し、前記制御する工程では、前記第１の温度センサが検出した温度と前記第２の温度センサが検出した温度との差に応じて、前記発進クラッチの潤滑油の流量を制御することを特徴とする請求項２または３に記載の発進クラッチの潤滑制御方法。
【請求項４】
前記第１の温度センサは，前記発進クラッチから飛散する油の温度を検出する位置で油温を検出することを特徴とする請求項２乃至４のいずれか１項に記載の発進クラッチの潤滑制御方法。
【請求項５】
前記制御する工程では、前記発進クラッチから飛散する油を貯留し、貯留した油の温度を前記第１の温度センサで検出することを特徴とする請求項４に記載の発進クラッチの潤滑制御方法。
【請求項６】
前記湿式多板クラッチは、コアプレートに摩擦材を固着して形成した複数の摩擦板を有し、前記摩擦板には内径側から外径側へ連通する溝が形成されており、前記溝は、前記摩擦材の厚さとほぼ等しい厚さと３ｍｍ以上の周方向幅を有することを特徴とする請求項１乃至５のいずれか１項に記載の発進クラッチの潤滑制御方法。
【請求項７】
車両のトランスミッションとエンジンとの間に配置され、動力を伝達する湿式多板クラッチを備えた発進クラッチの潤滑制御装置であって、
前記発進クラッチ内の油温を検出する第１の温度センサと、
車両の走行状態に関わらず、前記第１の温度センサが検出した油温に応じて前記発進クラッチの潤滑油の流量を制御する制御手段と、
を備え、前記制御手段は、前記油温が第１の設定値以下の場合は流量を最小とし、第２の設定値以上であれば流量を最大とし、前記第１と第２の設定値の間は油温に応じて潤滑油の流量を連続的に変化させて制御することを特徴とする発進クラッチの潤滑制御装置。
【請求項８】
前記制御手段は、前記発進クラッチの潤滑油の流量を電気的に制御することを特徴とする請求項７に記載の発進クラッチの潤滑制御装置。
【請求項９】
前記制御装置は、前記トランスミッション内の油温を検出する第２温度センサを更に備え、前記制御手段は、前記第１の温度センサが検出した温度と前記第２の温度センサが検出した温度との差に応じて、前記発進クラッチの潤滑油の流量を制御することを特徴とする請求項７または８に記載の発進クラッチの潤滑制御装置。
【請求項１０】
前記第１の温度センサは，前記発進クラッチから飛散する油の温度を検出する位置に配置されていることを特徴とする請求項７乃至９のいずれか１項に記載の発進クラッチの潤滑制御装置。
【請求項１１】
前記制御装置は、前記発進クラッチから飛散する油を貯留する手段を更に有することを特徴とする請求項１０に記載の発進クラッチの潤滑制御装置。
【請求項１２】
前記第１の温度センサは、前記貯留する手段の中に貯留した潤滑油の温度を検出することを特徴とする請求項１１に記載の発進クラッチの潤滑制御装置。
【請求項１３】
前記湿式多板クラッチは、コアプレートに摩擦材を固着して形成した複数の摩擦板を有し、前記摩擦板には内径側から外径側へ連通する溝が形成されており、前記溝は、前記摩擦材の厚さとほぼ等しい厚さと３ｍｍ以上の周方向幅を有することを特徴とする請求項７乃至１２のいずれか１項に記載の発進クラッチの潤滑制御装置。
【発明の詳細な説明】
【技術分野】
【０００１】
本発明は、自動車等のトルクコンバータと嵌装可能なユニット型発進クラッチの潤滑制御方法及び潤滑制御装置に関する。
【背景技術】
【０００２】
従来、自動変速機、すなわちＡＴ（オートマチックトランスミッション）において、車両発進はトルクコンバータでのトルク伝達によって行っていた。トルクコンバータはトルク増幅効果もあり、トルク伝達も滑らかであるため多くのＡＴ車両に搭載されていた。
【０００３】
一方、トルクコンバータはトルク伝達時の滑り量が多く、あまり効率的ではないという欠点も有している。
【０００４】
そこで最近では、トルクコンバータに代えて発進クラッチを用いることが提案されており、またギア比を落とすと共に変速数を増やして低速域でのトルク増幅を図ることも行われている。
【０００５】
一般に発進クラッチは、クラッチケース内に収容された湿式多板クラッチを備えている。多板クラッチは、出力側の摩擦係合要素である摩擦板、すなわちフリクションプレート及び入力側の摩擦係合要素であるセパレータプレートが軸方向で交互に配置されている。このような構成で、ピストンにより、フリクションプレートとセパレータプレートとを係合させることで動力の伝達を行っている。
【０００６】
この出願の発明に関連する先行技術文献情報としては次のものがある。
【特許文献１】特開２００４−３２４８１８号公報
【発明の開示】
【発明が解決しようとする課題】
【０００７】
発進クラッチは、特に車の渋滞時における走行においては頻繁に、クラッチの係合と解放が頻繁に繰り返され、クラッチ部に熱が蓄積されるため、多量の潤滑油を流す必要がある。しかし、多量の潤滑油を供給するポンプの動力損失は大きくなり、燃費向上の障害となっていた。
【０００８】
湿式の発進クラッチは、車両発進の時、すなわち、湿式多板クラッチが係合するときに最も熱を発生する。従来、その熱を冷却するために、常に大量（１０Ｌ／ｍｉｎ以上）の潤滑油を流していた。湿式多板クラッチは、その係合の時に冷却のための潤滑油が必要であり、クラッチ空転中は発熱し高温になったクラッチを冷却するために潤滑油が必要である。一般にクラッチ係合中は、クラッチディスクの間を潤滑油が流れにくいため、潤滑油を流してもクラッチは冷却されにくい。
【０００９】
このような課題に対して、例えば、特許文献１では、電子油圧ソレノイドを用いて、車両の状態に応じて潤滑油を供給することを開示している。しかしながら、クラッチへの潤滑油は、クラッチがスリップ状態において多量に供給するもので、クラッチが頻繁に係合と解放を繰り返す場合には、十分に冷却を行えるものではなかった。また、発進クラッチ内の油温を測定して、その検出結果に応じて潤滑油の量を適切に調節するという考えはなかった。
【００１０】
そこで、本発明の目的は、発進クラッチ内の油温を検出する温度センサの検出温度に応じて潤滑油の流量を制御し、動力損失を減らし、クラッチの焼損を防止することである。
【課題を解決するための手段】
【００１１】
上記目的達成のため、請求項１に記載の潤滑制御方法は、
車両のトランスミッションとエンジンとの間に配置され、動力を伝達する湿式多板クラッチを備えた発進クラッチの潤滑制御方法であって、
第１の温度センサにより前記発進クラッチ内の油温を検出する工程と、
車両の走行状態に関わらず、前記第１の温度センサが検出した油温に応じて前記発進クラッチの潤滑油の流量を制御する工程と、
を備え、前記制御する工程では、前記油温が第１の設定値以下の場合は流量を最小とし、第２の設定値以上であれば流量を最大とし、前記第１と第２の設定値の間は油温に応じて潤滑油の流量を連続的に変化させて制御することを特徴としている。
また、上記目的達成のため、請求項７に記載の潤滑制御装置は、
車両のトランスミッションとエンジンとの間に配置され、動力を伝達する湿式多板クラッチを備えた発進クラッチの潤滑制御装置であって、
前記発進クラッチ内の油温を検出する第１の温度センサと、
車両の走行状態に関わらず、前記第１の温度センサが検出した油温に応じて前記発進クラッチの潤滑油の流量を制御する制御手段と、
を備え、前記制御手段は、前記油温が第１の設定値以下の場合は流量を最小とし、第２の設定値以上であれば流量を最大とし、前記第１と第２の設定値の間は油温に応じて潤滑油の流量を連続的に変化させて制御することを特徴としている。
【発明の効果】
【００１２】
本発明の発進クラッチ潤滑制御方法及び潤滑制御装置によれば、次のような効果が得られる。
【００１３】
発進クラッチの温度状態に応じて潤滑油の潤滑流量を変化させることができるため、クラッチの発熱が高い場合は、多くの潤滑油を流すことができ、潤滑油を供給するポンプの過剰な動力損失をともなわずに効果的に発進クラッチの冷却をすることができる。
【００１４】
温度センサを設けることで、潤滑油の温度が正確に検出及び監視できる。従って、温度センサの出力に応じて、より精度の高い潤滑油の流量設定ができる。また、油温が第１の設定値と第２の設定値の間は油温に応じて潤滑油の流量を連続的に変化させて制御することにより、効率良い潤滑制御が可能となる。
【００１５】
また、発進クラッチは通常車両が走行している時は滑りのない係合状態であるため、発熱しないが、冷却もされにくい。しかしながら、本発明によれば、係合中でも冷却されるよう、発進クラッチの温度に応じて常に潤滑油を流すため、頻繁なクラッチ係合と解放を繰り返しても十分な冷却が可能となる。
【００１６】
また、請求項６及び１３のように摩擦材に溝を設ければ、発進クラッチの係合中でも冷却効果が向上する。
【実施例】
【００１７】
以下、添付図面を参照して本発明の実施例を詳細に説明する。尚、以下説明する実施例は例示として本発明を示しているに過ぎず、その他の変更が可能なことは言うまでもない。
【００１８】
図１は、本発明にかかる発進クラッチの潤滑制御装置の実施例を説明するための発進クラッチの軸方向断面図である。発進クラッチ１０は、クラッチドラム、すなわちクラッチケース１とその中に収容された湿式多板クラッチ３０を備えている。湿式多板クラッチ３０のクラッチケース１の内部には出力側の摩擦係合要素であるほぼ環状の摩擦板、すなわちフリクションプレート３と入力側の摩擦係合要素であるほぼ環状のセパレータプレート４とが軸方向で交互に配置されている。クラッチケース１の開口側である軸方向の一端にはほぼ環状のバッキングプレート１９が、ほぼ環状の止め輪５によって軸方向において固定状態に支持され、セパレータプレート４を保持している。
【００１９】
環状のクラッチケース１は、その外周にドラム部３４が設けられている。ドラム部３４の内周にはスプライン部３９が設けられ、セパレータプレート４が軸方向で摺動自在に係合している。
【００２０】
本実施例では、３枚のフリクションプレート３と３枚のセパレータプレート４とで湿式多板クラッチ３０を構成しているが、これら入力側及び出力側の摩擦係合要素の枚数は、必要なトルクに応じて任意に変更できることは言うまでもない。また、フリクションプレート３の軸方向の両面には、ほぼ環状の摩擦材３５、または複数セグメントに分割された摩擦材３５が接着等により固定されている。また、セパレータプレート４に摩擦材３５を固着してもよいし、フリクションプレート３とセパレータプレート４のそれぞれの片面に交互に摩擦材３５を固着してもよい。
【００２１】
図１において、クラッチケース１内であって、クラッチケース１の閉口端側にはピストン８が設けられている。ピストン８は、セパレータプレート４に当接して押圧力を加えるため、クラッチケース１に軸方向摺動自在に嵌合している。
【００２２】
ピストン８とクラッチケース１の内面とで、二つのＯリングで油密に封止された油圧室３１が画成されている。後述の油路から油圧用の油を油圧室３１に供給することで、ピストン８の移動を制御し、所定の押圧力を得る。ピストン８に所定の押圧力を与える。クラッチの解放時に、ピストン８を油圧室３１方向へ常時付勢するためのスプリング９が油圧室３１と反対側に設けられている。
【００２３】
油圧室３１に所定の油圧が供給されると、ピストン８は、図中左方向に移動して、バッキングプレート１９との間で湿式多板クラッチ３０を締結する。
【００２４】
湿式多板クラッチ３０の摩擦板３には内径側から外径側へ連通する溝（不図示）が形成されており、溝は、摩擦材３の厚さとほぼ等しい深さと３ｍｍ以上の周方向幅を有するように形成される。これにより、冷却されにくい発進クラッチ１０の締結時にも、冷却効果が向上する。また、本発明によれば、係合中でも冷却されるよう空転中よりは少ない流量で常に潤滑油を流すため、冷却効率が更に向上する。これは、発進クラッチの温度に応じて常に潤滑油を流すため、頻繁なクラッチ係合と解放を繰り返しても十分な冷却が可能となるためである。
【００２５】
トランスミッションの入力軸１６と一体で回転するように入力軸１６に嵌合したハブ部材２は、その外周にスプライン部３６が設けられている。スプライン部３６には、フリクションプレート３が軸方向摺動自在に嵌合している。従って、不図示のクランク軸から入力される動力は、ハウジング１２を介して、ダンパ装置１４、クラッチケース１、湿式多板クラッチ３０、ハブ部材２、入力軸１６の経路で不図示のトランスミッションに伝達される。
【００２６】
湿式多板クラッチ３０のクラッチケース１は、クラッチ締結時の衝撃などを吸収する衝撃緩衝機構であるダンパ装置１４が設けられている。ダンパ装置１４は、スプリングとスプリングを保持するリテーナプレートとを有する。
【００２７】
入力軸１６の軸方向一端の外周にはスプラインが設けられ、ハブ部材２がスプライン嵌合している。従って、入力軸１６とハブ部材２とは一体状態で回転する。
【００２８】
クラッチケース１の開放端には、カバー部材７が設けられている。カバー部材７は、外径縁部が、クラッチケース１のスプライン部３９に嵌合している。このため、カバー部材７は、クラッチケース１と共に回転する。カバー部材７は、ハブ部材２との間に狭い潤滑油通路４０を画成している。図１から分かるように、カバー部材７を設けることで、ほぼ囲まれたスペースに湿式多板クラッチ３０が配置される。
【００２９】
ここで、湿式多板クラッチ３０の油圧室３１に油を供給する油路について説明する。湿式多板クラッチ３０のピストン８を押圧するための油圧室３１に供給する油は、不図示のオイルポンプと油圧制御装置により制御される。
【００３０】
油圧室３１には、不図示の油圧供給源から、入力軸１６内の通路、入力軸１６とクラッチケース１との間の通路３２、クラッチケース１の通路３３を介して油が供給される。
【００３１】
ここで、湿式多板クラッチ３０を潤滑する潤滑油の油路について説明する。湿式多板クラッチ３０を潤滑する潤滑油は、オイルポンプ（不図示）と潤滑制御装置７０に接続された流量制御弁６３により制御される。
【００３２】
潤滑制御装置７０は、発進クラッチ１０内部の潤滑油の油温を検出する第１の温度センサ６２と、車両（不図示）の走行状態に関わらず、第１の温度センサ６２が検出した油温に応じて発進クラッチ１０の潤滑油の流量を制御する制御手段である流量制御弁６３とから成っている。この潤滑制御装置７０では、油圧室３１に供給する圧油の供給路は別系統としている。第１の温度センサの検出結果により、発進クラッチ１０の発熱が高いと判明した場合は、多くの潤滑油を流す。
【００３３】
流量制御弁６３には、不図示の潤滑油供給源に接続された潤滑油供給路７２を介して潤滑油が供給される。流量制御弁６３から油路７１を介して発進クラッチ１０に潤滑油が供給される。後述のように、２つの温度センサ６２と６４からの温度検出情報をコントローラ６１が処理し、検出温度に基づいて、流量制御弁６３からの油量を制御している。
【００３４】
潤滑制御装置７０の流量制御弁６３は、発進クラッチ１０内の油温が第１の設定値以下の場合は流量を最小とし、第２の設定値以上であれば流量を最大とし、第１と第２の設定値の間は油温に応じて連続的に変化させて潤滑油の流量を制御する。また、流量制御弁６３は潤滑油量を電気的に制御しており、潤滑油を発進クラッチ１０内に常時流すように制御している。
【００３５】
図２に示すように、第１の温度センサ６２は，発進クラッチ１０の下端に配置されている。これは、発進クラッチ１０から飛散する油の温度を検出する位置であり、発進クラッチ１０内の潤滑油の油温が正確に検出できるからである。
【００３６】
潤滑制御手段７０は、前記発進クラッチから飛散する油を貯留する手段を設けることができる。貯留手段は、例えばハウジング１２の下部１３の温度センサ６２近傍に凹部（不図示）を形成して設けることができる。このようにすれば、第１の温度センサ６２が、貯留部に溜まった潤滑油の油温を検出するので、検出結果が正確になり、安定する。
【００３７】
潤滑制御装置７０は、トランスミッション内の油温を検出する第２温度センサ６４を更に備え、流量制御弁６３は、第１の温度センサ６２が検出した温度と第２の温度センサ６４が検出した温度との差に応じて、コントローラ６１により発進クラッチ１０の潤滑油の流量を制御する。このようにすることで、潤滑油の流量を更に正確に制御できる。
【００３８】
ここで、図２を参照して、本発明における潤滑制御について説明する。図２は、発進クラッチ内の潤滑油の温度と潤滑油量との関係を示すグラフである。
【００３９】
図２に示すように。温度センサ６２により検出される潤滑油の油温Ｔ１（第１の設定温度）以下のとき、潤滑油量が最小値Ｌ１でほぼ一定となり、また油温Ｔ２（第２の設定温度）以上のときに最大値Ｌ２でほぼ一定となるように制御する。また、潤滑油量が最小値Ｌ１のときは、発進クラッチ１０が完全締結状態に、最大値Ｌ２のときは、発進クラッチ１０の空転時にそれぞれ対応している。
【００４０】
図２において、勾配となっている領域、すなわち第１の設定温度Ｔ１と第２の設定値Ｔ２との間は油温に応じて潤滑油の流量を連続的に変化させて制御している。
【図面の簡単な説明】
【００４１】
【図１】本発明にかかる発進クラッチの潤滑制御装置の実施例を説明するための発進クラッチの軸方向断面図である。
【図２】発進クラッチ内の潤滑油の温度と潤滑油量との関係を示すグラフである。
【符号の説明】
【００４２】
１    クラッチケース
２    ハブ部材
３    摩擦板
４    セパレータプレート
８    ピストン
１０    発進クラッチ
３０    湿式多板クラッチ
１２    ハウジング
３１    油圧室
６２    第１の温度センサ
６３    流量制御弁
６４    第２の温度センサ
７０    潤滑制御装置
【図１】
2008291897.tif 000003
【図２】
2008291897.tif 000004